(57)【要約】【課題】監視端末器の制御信号を無効化する機器を新たに設置することなく、監視端末器による不所望な照明制御を防止する照明制御システムを提供する。【解決手段】照明制御システム１は、照明負荷７の点灯状態を制御する制御信号を伝送線２に出力する監視端末器３，４と、制御信号に応じた伝送信号を送受信手段３４から伝送線２に送信させるように制御する主制御手段３６および計時手段３９が計時する時刻が禁止期間の開始時刻となった時に主制御手段３６に対して当該開始時刻の時点での伝送信号を禁止期間に亘って送受信手段３４から伝送線２に送信させるように制御する制御無効化手段４０とを有してなる主制御装置５とを具備する。【選択図】図６
2007157337.tif 000002
【特許請求の範囲】
【請求項１】
制御信号を伝送する伝送線と；
伝送線に接続され、照明負荷の点灯状態を制御する制御信号を伝送線に出力する監視端末器と；
伝送線に接続され制御信号の送受信を行う送受信手段と、送受信手段が監視端末器から出力された制御信号を受信したときに、当該制御信号に応じた伝送信号を送受信手段から伝送線に送信させるように制御する主制御手段と、照明負荷の点灯状態を変更させない禁止期間の時刻を記憶する不揮発性の記憶手段と、時刻を計時する計時手段と、この計時手段が計時する時刻が前記禁止期間の開始時刻となった時に主制御手段に対して当該開始時刻の時点での伝送信号を前記禁止期間に亘って送受信手段から伝送線に送信させるように制御する制御無効化手段とを有する主制御装置と；
伝送線に接続され、主制御装置からの伝送信号を受信する制御端末器と；
前記伝送信号に応じて制御端末器により点灯制御される照明負荷と；
を具備していることを特徴とする照明制御システム。
【請求項２】
監視端末器は、表示用の発光ダイオードを備え、主制御装置の主制御手段は、前記禁止期間内に送受信手段が監視端末器から出力された制御信号を受信したときに当該監視端末器に表示制御信号を送信して発光ダイオードを付勢させ、前記発光ダイオードの点灯状態により制御無効化状態を表示することを特徴とする請求項１記載の照明制御システム。
【請求項３】
監視端末器は、外部設定器が着脱可能な設定器接続部を備え、この設定器接続部に外部設定器を接続して外部設定器から前記禁止期間の時刻が設定され、主制御装置の不揮発性の記憶手段に記憶されることを特徴とする請求項１または２記載の照明制御システム。
【発明の詳細な説明】
【技術分野】
【０００１】
本発明は、照明が不所望に制御されることを防止する照明制御システムに関する。
【背景技術】
【０００２】
店舗、展示場やビルなどの共用部分では、照明を点灯または消灯状態に維持しておきたい場合がある。すなわち、来客等により壁スイッチがオンオフ操作されて、照明が消灯または点灯されては困る場合がある。これを防止するために、壁スイッチを操作しても照明を点灯または消灯させなくした照明制御システムが提案されている。例えば、フル２線信号線にスイッチ操作ロックユニットを接続して、このスイッチ操作ロックユニットに手元スイッチを接続することが提案されている（例えば、非特許文献１参照。）。当該スイッチ操作ロックユニットは、年間プログラムタイマにより設定された所定の時刻と時刻の間に亘って、フル２線信号線と手元スイッチを接続させなくする。したがって、手元スイッチが不所望に操作されても照明の点消灯状態が変わらないものである。
【非特許文献１】スイッチ操作ロックユニット、松下電工（株）電設資材カタログ２００４−２００６、平成１６年４月発行、リモコン配線器具、ｐ．３８８または、［平成１７年１１月２９日検索］、インターネット＜ＵＲＬ：
【０００３】
http://biz.national.jp/Ebox/full2/gijutu/ww1a01.html＞
【発明の開示】
【発明が解決しようとする課題】
【０００４】
非特許文献１のスイッチ操作ロックユニットは、不所望に点消灯させたくない手元スイッチに個別に接続されるので、設置スペースの確保が必要であり、設備費用が大きくなるという問題がある。
【０００５】
本発明は、監視端末器の制御信号を無効化する機器を新たに設置することなく、監視端末器による不所望な照明制御を防止する照明制御システムを提供することを目的とする。
【課題を解決するための手段】
【０００６】
請求項１に記載の制御システムの発明は、制御信号を伝送する伝送線と；伝送線に接続され、照明負荷の点灯状態を制御する制御信号を伝送線に出力する監視端末器と；伝送線に接続され制御信号の送受信を行う送受信手段と、送受信手段が監視端末器から出力された制御信号を受信したときに、当該制御信号に応じた伝送信号を送受信手段から伝送線に送信させるように制御する主制御手段と、照明負荷の点灯状態を変更させない禁止期間の時刻を記憶する不揮発性の記憶手段と、時刻を計時する計時手段と、この計時手段が計時する時刻が前記禁止期間の開始時刻となった時に主制御手段が当該開始時刻の時点での伝送信号を前記禁止期間に亘って送受信手段から伝送線に送信させるように制御させる制御無効化手段とを有する主制御装置と；伝送線に接続され、主制御装置からの伝送信号を受信する制御端末器と；前記伝送信号に応じて制御端末器により点灯制御される照明負荷と；を具備していることを特徴とする。
【０００７】
本発明および以下の各発明において、特に言及しない限り、各構成は以下による。
【０００８】
「照明負荷の点灯状態」とは、照明負荷の点灯、消灯および調光を示す。
【０００９】
監視端末器は、例えば壁スイッチ装置などのスイッチ装置、人感センサ装置や調光器などの調光装置等である。
【００１０】
「禁止期間」とは、監視端末器により照明負荷の点灯状態を制御することができない時間（開始時刻と終了時刻の間）を意味する。この禁止期間が不揮発性の記憶部に記憶されることにより、主制御装置は、監視端末器により照明負荷の点灯状態が制御されない時間をスケジュール化する。
【００１１】
「禁止期間の開始時刻の時点での伝送信号を禁止期間に亘って送受信手段から伝送線に送信させる」とは、開始時刻の時点で、監視端末器から照明負荷を点灯させる制御信号が出力されていると禁止期間に亘って照明負荷を点灯させ、消灯させる制御信号が出力されていると禁止期間に亘って消灯させ、調光させる制御信号が出力されていると禁止期間に亘って調光させること、または、前もって設定された照明負荷の点灯状態で禁止期間に亘って照明負荷を制御することを意味する。後者の場合、設定された照明負荷の点灯状態は、不揮発性の記憶部に記憶させることができる。そして、禁止期間が終了すると、監視端末器から出力された制御信号に応じた伝送信号が伝送線に送信され、当該伝送信号に応じて制御端末器により照明負荷の点灯状態が制御される。
【００１２】
本発明によれば、禁止期間の開始時刻になると、主制御装置から当該開始時刻の時点での伝送信号が禁止期間に亘って伝送線に送信され、この伝送信号に応じて制御端末器により照明負荷の点灯状態が制御される。したがって、禁止期間の開始時刻から終了時刻の間に、監視端末器から照明負荷の点灯状態を変更する制御信号が出力されても、照明負荷の点灯状態は変化しない。すなわち、監視端末器から出力された制御信号は無効化される。
【００１３】
請求項２に記載の照明制御システムの発明は、請求項１記載の照明制御システムにおいて、監視端末器は、表示用の発光ダイオードを備え、主制御装置の主制御手段は、前記禁止期間内に送受信手段が監視端末器から出力された制御信号を受信したときに当該監視端末器に表示制御信号を送信して発光ダイオードを付勢させ、前記発光ダイオードの点灯状態により制御無効化状態を表示することを特徴とする。
【００１４】
「制御無効化状態」とは、禁止期間において監視端末器から出力された制御信号により照明負荷の点灯状態が変更されないように制御されている状態をいう。
【００１５】
本発明によれば、禁止期間内に監視端末器から照明負荷の点灯状態を制御する制御信号が出力されると、発光ダイオードの点灯状態により制御無効化状態が表示されるので、発光ダイオードの点灯状態の視認により、監視端末器から照明負荷の点灯状態を変更する制御信号が出力されても、照明負荷の点灯状態は変化しないことが認識される。
【００１６】
請求項３に記載の照明制御システムの発明は、請求項１または２記載の照明制御システムにおいて、監視端末器は、外部設定器が着脱可能な設定器接続部を備え、この設定器接続部に外部設定器を接続して外部設定器から前記禁止期間の時刻が設定され、主制御装置の不揮発性の記憶手段に記憶されることを特徴とする。
【００１７】
本発明によれば、外部設定器を設定器接続部に接続して、外部設定器から禁止期間の開始時刻および終了時刻を任意に設定して不揮発性の記憶手段に記憶させることができる。
【発明の効果】
【００１８】
請求項１の発明によれば、禁止期間内には主制御装置から禁止期間の開始時刻の時点での伝送信号が禁止期間に亘って伝送線に送信されるので、禁止期間内において、例えば壁スイッチ装置が不所望にオンオフ操作されて、または人感センサ装置の不所望な人体検知により、壁スイッチ装置または人感センサ装置に対応している照明負荷が不所望に点消灯することを防止することができる。そして、主制御装置において監視端末器からの制御信号を無効化し、当該無効化する機器を用いないので、当該機器の設置スペースが不要であり、安価に構成できる照明制御システムを提供することができる。
【００１９】
請求項２の発明によれば、禁止期間内に監視端末器から照明負荷の点灯状態を制御する制御信号が出力されると、発光ダイオードの点灯状態により制御無効化状態が表示されるので、当該発光ダイオードの点灯状態を視認することによって、監視端末器により照明負荷の点灯状態を変更できないことを報知させることができる。
【００２０】
請求項３の発明によれば、外部設定器を設定器接続部に接続して、外部設定器から禁止期間の開始時刻および終了時刻を任意に設定できるので、禁止期間の時刻を自由に変更、追加または削除することができる。
【発明を実施するための最良の形態】
【００２１】
以下、本発明の一実施の形態について、図面を参照して説明する。
【００２２】
図１ないし図９は、本発明の一実施の形態を示し、図１は照明制御システムのブロック図、図２は壁スイッチ装置の概略正面図、図３は壁スイッチ装置のブロック図、図４は人感センサ装置を示し、（ａ）は概略正面図、（ｂ）は概略下面図、図５は人感センサのブロック図、図６は主制御装置のブロック図、図７は禁止期間の時刻を示すデータ図、図８は壁スイッチ装置からの照明制御による主制御装置の動作のフロー図、図９は人感センサ装置からの照明制御による主制御装置の動作のフロー図である。
【００２３】
図１において、照明制御システム１は、２線の伝送線２、監視端末器としての壁スイッチ装置３、監視端末器としての人感センサ装置４、主制御装置５、制御端末器６および照明負荷７を有して構成されている。照明負荷７，７は、照明器具８に配設されている。照明器具８には、照明負荷７，７を点灯する図示しない点灯装置が収納されており、この点灯装置が制御端末器６内のリレー（図示しない。）に接続されている。そして、壁スイッチ装置３は、外部設定器９が接続されるように形成されている。そして、壁スイッチ装置３、人感センサ装置４および制御端末器６は、それぞれアドレスを有し、伝送線２により主制御装置５に接続されている。
【００２４】
伝送線２は、制御信号（制御データ）および伝送信号を伝送する。そして、壁スイッチ装置３は、例えば箱体に形成され、この箱体の内部に電子部品等が収納されている。壁スイッチ装置３は、壁などの造営物に直付けまたは埋設され、図２に示すように、前面３ａには、例えば押圧、復帰される平板で形成されてオンオフ操作される複数のスイッチ部１０、各スイッチ部１０にそれぞれ並設されている表示用の発光ダイオード（ＬＥＤ）１１，１２および中央下部側に外部設定器９が着脱される設定器接続部１３を設けている。
【００２５】
各スイッチ部１０は、それぞれ制御端末器６に対応されている。発光ダイオード１１は、並設のスイッチ部１０に対応している制御端末器６により照明負荷７，７が点灯制御されているときに赤色で点灯するように制御され、発光ダイオード１２は、同じく照明負荷７，７が消灯制御されているときに緑色で点灯するように制御される。また、発光ダイオード１１，１２は、後述するように、主制御装置５から壁スイッチ装置３に表示制御信号が送信されたときに点灯または点滅制御される。そして、設定器接続部１３は、図示しないスライドドアを移動させることにより、壁スイッチ装置３の前面３ａに開閉する。
【００２６】
そして、壁スイッチ装置３は、図３に示すように、操作スイッチ入力インターフェース（Ｉ／Ｆ）部１４、不揮発性の記憶部１５、揮発性の記憶部１６、伝送インターフェース（Ｉ／Ｆ）部１７、電源生成部１８、制御部１９、ＬＥＤ制御インターフェース（Ｉ／Ｆ）部２０および設定器インターフェース（Ｉ／Ｆ）部２１を有して構成されている。
【００２７】
そして、出力端子２２ａ，２２ｂは、伝送Ｉ／Ｆ部１７の出力側に接続され、電源端子２３ａ，２３ｂは、電源生成部１８の入力側に接続されている。出力端子２２ａ，２２ｂは、伝送線２，２に接続され、電源端子２３ａ，２３ｂは、出力端子２２ａ，２２ｂを介して伝送線２，２に接続されている。
【００２８】
操作スイッチ入力Ｉ／Ｆ部１４は、各スイッチ部１０に接続されていて、スイッチ部１０のオンオフの手動操作に応じた操作信号を制御部１９に送出する。制御部１９は、当該操作信号に応じた演算処理により制御信号を生成する。すなわち、スイッチ部１０の手動操作に応じた制御信号、例えば照明負荷７，７を点消灯させるオンオフ信号を生成する。
【００２９】
不揮発性の記憶部１５は、壁スイッチ装置３のアドレスおよび各スイッチ部１０のアドレスを記憶している。揮発性の記憶部１６は、ＲＡＭを具備し、制御部１９が演算処理したデータを記憶する。
【００３０】
伝送Ｉ／Ｆ部１７は、制御部１９の制御により、制御部１９で演算生成されたスイッチ部１０のオンオフの手動操作に応じた制御信号を出力端子２２ａ，２２ｂから伝送線２，２に出力するように構成されている。
【００３１】
電源生成部１８は、伝送線２に伝送された伝送信号（制御信号）から所定の直流電圧を生成して、制御部１９などの各回路部に動作電源を供給するように構成されている。
【００３２】
制御部１９は、プログラムが格納されたＲＯＭおよびＣＰＵ（中央処理装置）を具備し、各回路部に接続され、壁スイッチ装置３全体の動作を統括管理する。そして、制御部１９は、スイッチ部１０の手動操作が行われると、当該手動操作に応じた制御信号を伝送線２に出力させるように伝送Ｉ／Ｆ部１７を制御する。
【００３３】
ＬＥＤ制御Ｉ／Ｆ部２０は、制御部１９の制御により、各スイッチ部１０のオンオフ操作に応じて発光ダイオード１１，１２を点灯させる。また、壁スイッチ装置３に主制御装置５から表示制御信号が送信されてきたときに、発光ダイオード１１，１２の両方を点灯または点滅させるように構成されている。この発光ダイオード１１，１２の両方の点灯状態により、各スイッチ部１０がオンオフ操作されても照明負荷７の点灯状態を変更できないという後述の制御無効化状態が表示される。
【００３４】
設定器Ｉ／Ｆ部２１は、設定器接続部１３に接続された外部設定器９から後述の禁止期間の開始時刻および終了時刻などのデータを入力して制御部１９に送出する。当該禁止期間のデータは、制御部１９の制御により伝送線２を介して主制御装置５に送信される。
【００３５】
そして、人感センサ装置４は、図４に示すように、略円筒状のセンサ本体２２、円盤状のカバー２３および取付ばね２４，２４等を有して形成されている。そして、カバー２３は、外表面２３ａに露出するようにして人感センサ２５および表示用の発光ダイオード２６を配設している。人感センサ２５は、照明エリア内の人体の有無を検出する。発光ダイオード２６は、点灯または点滅して、人感センサ２５の人体の検知の有無により照明負荷７の点灯状態を変更できないという後述の制御無効化状態を表示する。そして、センサ本体２２は、側面２２ａに端子群２７を配設している。
【００３６】
また、人感センサ装置４は、図５に示すように、人体検出部２８、不揮発性の記憶部２９、伝送インターフェース（Ｉ／Ｆ）部３０、電源生成部３１、制御部３２および表示部３３を有して構成されている。
【００３７】
そして、端子群２７の出力端子３４ａ，３４ｂは、伝送Ｉ／Ｆ部３０の出力側に接続され、電源端子３５ａ，３５ｂは、電源生成部３１の入力側に接続されている。出力端子３４ａ，３４ｂは、伝送線２，２に接続され、電源端子３５ａ，３５ｂは、出力端子３４ａ，３４ｂを介して伝送線２，２に接続されている。
【００３８】
人体検出部２８は、人感センサ２５が検出した人体の検出信号を制御部３２に送出する。不揮発性の記憶部２９は、人感センサ装置４のアドレスなどを記憶している。
【００３９】
伝送Ｉ／Ｆ部３０は、制御部３２の制御により、制御部３２で演算生成された制御信号を出力端子３４ａ，３４ｂから伝送線２，２に出力するように構成されている。電源生成部３１は、伝送線２に伝送された伝送信号（制御信号）から所定の直流電圧を生成して、制御部３２などの各回路部に動作電源を供給するように構成されている。
【００４０】
制御部３２は、プログラムをしている格納ＲＯＭおよびＣＰＵ（中央処理装置）を具備し、各回路部に接続され、人感センサ装置４全体の動作を統括管理する。そして、制御部３２は、人体検出部２８から人体の検出信号が入力されると自身の人感センサ装置４に対応する照明負荷７を点灯させる点灯制御信号を伝送線２に出力するように、人体検出部２８から人体の検出信号が入力されなくなると自身の人感センサ装置４に対応する照明負荷７を消灯させる消灯制御信号を伝送線２に出力するように伝送Ｉ／Ｆ部３０を制御する。
【００４１】
表示部３３は、表示用の発光ダイオード２６に接続されている。そして、人感センサ装置４に伝送線２を介して主制御装置５から表示制御信号が送信されてきたときに、制御部３２の制御により発光ダイオード２６を点灯または点滅させるように構成されている。この発光ダイオード２６の点灯状態により、後述の制御無効化状態が表示される。
【００４２】
上述したように、監視端末器としての壁スイッチ装置３は、各スイッチ部１０のオンオフの手動動作に応じて照明負荷７の点灯状態を制御する制御信号を伝送線２に出力する。また、監視端末器としての人感センサ装置４は、自身が配設されている照明エリア内の人体の検出の有無に応じて照明負荷７の点灯状態を制御する制御信号を伝送線２に出力する。
【００４３】
そして、主制御装置５は、例えば照明主操作盤内に配設され、壁スイッチ装置３、人感センサ装置４および制御端末器６を２線の伝送線２により接続している。主制御装置５は、図６に示すように、送受信手段としての伝送インターフェース（Ｉ／Ｆ）部３４、電源生成部３５、主制御手段としての主制御部３６、揮発性の記憶部３７、不揮発性の記憶手段としての不揮発性の記憶部３８、計時手段としての計時部３９、制御無効化手段としてのロック処理部４０、操作スイッチ部４１および外部設定部４２を有して構成されている。
【００４４】
そして、出力端子４３ａ，４３ｂは、伝送Ｉ／Ｆ部３４の出力側に接続され、電源端子４４ａ，４４ｂは、電源生成部３５の入力側に接続されている。出力端子４３ａ，４３ｂは、伝送線２，２に接続され、電源端子４４ａ，４４ｂは、外部交流電源に接続されている。
【００４５】
伝送Ｉ／Ｆ部３４は、壁スイッチ装置３および人感センサ装置４から伝送線２に出力された制御信号を受信して主制御部３６に送出するとともに、主制御部３６で演算処理された伝送信号（制御信号）を伝送線２に送信するように構成されている。
【００４６】
電源生成部３５は、外部交流電源から所定の直流電圧を生成して、主制御部３６などの各回路部に動作電源を供給するように構成されている。
【００４７】
主制御部３６は、プログラムが格納されたＲＯＭおよびＣＰＵ（中央処理装置）を具備し、各回路部に接続され、主制御装置５全体の動作を統括管理する。そして、主制御部３６は、壁スイッチ装置３または人感センサ装置４から出力された照明負荷７の点灯状態を制御する制御信号を伝送Ｉ／Ｆ部３４から入力すると、当該制御信号を解析、演算処理して、当該制御信号に応じた伝送信号を伝送Ｉ／Ｆ部３４から伝送線２に送信させるように制御する。伝送信号は、アドレスが付与されている。そして、当該伝送信号は、当該アドレスを有する制御端末器６により受信される。
【００４８】
揮発性の記憶部３７は、ＲＡＭを具備し、主制御部３６が演算処理したデータを記憶する。
【００４９】
そして、不揮発性の記憶部３８は、禁止期間の開始時刻および終了時刻などのデータを記憶している。「禁止期間」とは、壁スイッチ装置３から照明負荷７の点灯状態を変更することができない時間帯または人感センサ装置４が人体の検出の有無を変更しても照明負荷７の点灯状態を変更することができない時間帯を意味する。この禁止期間内では、主制御部３６は、伝送信号を変更して伝送Ｉ／Ｆ部３４から伝送線２に送信させることができないようにしている。
【００５０】
禁止期間のデータは、図７に示すように、壁スイッチ装置３および人感センサ装置４のアドレス毎に記憶させている。図中、アドレス番号５の壁スイッチ装置３およびアドレス番号５の人感センサ装置４は、１１：００〜１４：００の禁止期間が設定され、残余の壁スイッチ装置３および人感センサ装置４は、０９：３０〜２０：３０の禁止期間が設定されている。
【００５１】
そして、禁止期間の開始時刻および終了時刻などのデータは、操作スイッチ部４１のスイッチを操作することにより設定される。また、壁スイッチ装置３の設定器接続部１３に外部設定器９を接続して外部設定器９から設定される。禁止期間等のデータが壁スイッチ装置３で設定されると、当該データは壁スイッチ装置３から伝送線２に送信され、伝送Ｉ／Ｆ部３４で受信されて主制御部３６に送出される。そして、主制御部３６は、当該データを不揮発性の記憶部３８に記憶させる。なお、不揮発性の記憶部３８には、禁止期間が設定される壁スイッチ装置３および人感センサ装置４のそれぞれのデータが記憶される。
【００５２】
計時部３９は、時刻を計時する。そして、内部バッテリを具備しており、外部交流電源が停電しても長期間に亘って計時するように構成されている。
【００５３】
ロック処理部４０は、常時、不揮発性の記憶部３８および計時部３９にアクセスしている。そして、計時部３９が計時する時刻が不揮発性の記憶部３８に記憶されている禁止期間の開始時刻となった時に、主制御部３６に対して当該開始時点での伝送信号を禁止期間に亘って伝送Ｉ／Ｆ部３４から伝送線２に送信させるように構成されている。すなわち、禁止期間の開始時刻となった時に、壁スイッチ装置３から照明負荷７を点灯（消灯）させる点灯制御信号（消灯制御信号）が伝送線２に出力されていると、その後、当該壁スイッチ装置３から照明負荷７を消灯（点灯）させる消灯制御信号（点灯制御信号）が出力されても、主制御部３６は、禁止期間に亘って点灯制御信号（消灯制御信号）に応じた伝送信号を伝送線２に出力させる。この結果、禁止期間に亘って壁スイッチ装置３に対応する照明負荷７は点灯（消灯）され、壁スイッチ装置３のスイッチ部１０でのオンオフ操作が無効化（ロック化）される。
【００５４】
また、禁止期間の開始時刻となった時に、人感センサ装置４から人体の検出信号が伝送線２に出力されていると、その後、当該人感センサ装置４から人体の検出信号が出力されなくなっても、主制御部３６は、禁止期間に亘って照明負荷７を点灯させる伝送信号を伝送線２に出力させる。この結果、禁止期間に亘って人感センサ装置４に対応する照明負荷７は点灯される。
【００５５】
また、禁止期間の開始時刻となった時に、人感センサ装置４が人体を検出していなく人体の検出信号が伝送線２に出力されていないと、その後、当該人感センサ装置４が人体を検出して人体の検出信号が伝送線２に出力されても、主制御部３６は、禁止期間に亘って照明負荷７を消灯させる伝送信号を伝送線２に出力させる。この結果、禁止期間に亘って人感センサ装置４に対応する照明負荷７は消灯される。こうして、人感センサ装置４は、禁止期間に亘って人体の検出が無効化（ロック化）される。
【００５６】
あるいは、禁止期間の開始時刻となった時に、主制御部３６は、前もって設定されて不揮発性の記憶部３８に記憶されている照明負荷７の点灯状態に応じた伝送信号を禁止期間に亘って伝送線２に出力させる。この禁止期間内に壁スイッチ装置３または人感センサ装置４から照明負荷７の点灯状態を変更させる制御信号が出力されても、照明負荷７の点灯状態は変化しない。すなわち、壁スイッチ装置３および人感センサ装置４のそれぞれの制御信号は、禁止期間に亘って無効化される。
【００５７】
そして、主制御部３６は、禁止期間内に壁スイッチ装置３から禁止期間の開始時刻と異なる制御信号すなわち照明負荷７の点灯状態を変更する制御信号が出力されると、表示制御信号を伝送Ｉ／Ｆ部３４から伝送線２に出力して、当該壁スイッチ装置３に受信させ、壁スイッチ装置３の発光ダイオード１１，１２を付勢させるように構成されている。発光ダイオード１１，１２が点灯または点滅することにより、壁スイッチ装置３のスイッチ部１０のオンオフ操作が無効化（ロック化）されている状態（制御無効化状態）が表示される。
【００５８】
また、主制御部３６は、禁止期間内に人感センサ装置４から禁止期間の開始時刻と異なる人体の検出信号が出力されると、表示制御信号を伝送Ｉ／Ｆ部３４から伝送線２に出力して、当該人感センサ装置４に受信させ、人感センサ装置４の発光ダイオード２６を付勢させるように構成されている。発光ダイオード２６が点灯または点滅することにより、人感センサ装置４の人体の検出の有無が無効化（ロック化）されている状態（制御無効化状態）が表示される。
【００５９】
そして、ロック処理部４０は、計時部３９が計時する時刻が不揮発性の記憶部３８に記憶されている禁止期間の終了時刻となった時に、主制御部３６に対して開始時点での伝送信号を禁止期間に亘って伝送Ｉ／Ｆ部３４から伝送線２に送信させることを解除させる。これにより、主制御部３６は、壁スイッチ装置３のスイッチ部１０でのオンオフ操作に応じて照明負荷７を点消灯させるように制御し、人感センサ装置４の人体の検出の有無に応じて照明負荷７を点消灯させるように制御する。
【００６０】
操作スイッチ部４１は、スイッチを備えている。そのスイッチを操作することにより、アドレスの設定や禁止期間の開始時刻および終了時刻などを設定する。また、外部設定部４２は、操作スイッチ部４１で設定された設定データを主制御部３６に送出するように構成されている。
【００６１】
そして、制御端末器６は、主制御装置５からの伝送信号を伝送線２から受信し、当該伝送信号に応じてリレーをオンオフ制御するように形成されている。すなわち、リレーがオンと、照明器具８内の点灯装置に電源が供給されて点灯装置が照明負荷７，７を点灯させる。また、リレーがオフすると、点灯装置に電源が供給されなくなるので、照明負荷７，７は消灯する。こうして、照明負荷７，７は、主制御装置５からの伝送信号に応じて、制御端末器６によりリレーがオンオフされることにより、点灯または消灯制御される。
【００６２】
なお、制御端末器６は、主制御装置５からの伝送信号に応じて、点灯装置に調光信号を送出して、照明負荷７，７を点灯、消灯および調光点灯させるように形成されてもよい。
【００６３】
次に、主制御装置５の動作について、図８および図９を参照して説明する。
【００６４】
図８において、主制御部３６およびロック処理部４０は、不揮発性の記憶部３８および計時部３９に常時アクセスしている。そして、計時部３９が計時する時刻が不揮発性の記憶部３８に記憶されている禁止期間の開始時刻（例えば、０９：３０）になっているか否かを判断する（ステップＳ１）。
【００６５】
そして、禁止期間の開始時刻前に、壁スイッチ装置３のスイッチ部１０が手動操作（オンオフ）されると（ステップＳ２）、スイッチ部１０の手動操作に応じた照明制御が実行される（ステップＳ３）。すなわち、壁スイッチ装置３から照明負荷７を点灯させる点灯制御信号が出力されていると、スイッチ部１０に対応する照明負荷７を点灯させる伝送信号を伝送線２に出力させる。当該伝送信号は、スイッチ部１０に対応する制御端末器６により受信される。そして、制御端末器６の制御により、照明負荷７が点灯される。また、壁スイッチ装置３から照明負荷７を消灯させる消灯制御信号が出力されていると、同様に、照明負荷７が消灯される。
【００６６】
そして、ステップＳ１において、現在の時刻が禁止期間の開始時刻になると、ロック処理部４０は、主制御部３６に対して当該開始時刻の時点での伝送信号を禁止期間に亘って伝送線２に送信させる。すなわち、開始時点の伝送信号が照明負荷７を点灯させる点灯制御信号であると、禁止期間のアドレスに対応する照明負荷７は、禁止期間に亘って点灯制御される。また、開始時点の伝送信号が照明負荷７を消灯させる消灯制御信号であると、禁止期間のアドレスに対応する照明負荷７は、禁止期間に亘って消灯制御される（ステップＳ４）。
【００６７】
前記開始時刻の時点の伝送信号は、上記において、壁スイッチ装置３または人感センサ装置４から出力された制御信号に応じた伝送信号としたが、前もって設定された照明負荷７の点灯状態に応じた伝送信号であってもよい。
【００６８】
その後、主制御部３６は、計時部３９が計時している現在の時刻が不揮発性の記憶部３８に記憶されている禁止期間の終了時刻（例えば、２０：３０）になっているか否かを判断する（ステップＳ５）。そして、現在の時刻が禁止期間の終了時刻になると、ステップＳ１に戻る。
【００６９】
そして、現在の時刻が禁止期間の終了時刻に達していないと、禁止期間内であると判断する（ステップＳ５）。この禁止期間内に、壁スイッチ装置３のスイッチ部１０が手動操作（オンオフ）され、壁スイッチ装置３から当該手動操作に応じた制御信号が伝送線２および伝送Ｉ／Ｆ部３４を介して入力されると（ステップＳ６）、主制御部３６は、伝送線２を介して、表示制御信号を当該壁スイッチ装置３に送信する（ステップＳ７）。
【００７０】
表示制御信号を伝送線２から受信した壁スイッチ装置３は、前面３ａの発光ダイオード１１，１２の両方を点灯または点滅させる。この発光ダイオード１１，１２の表示により、当該壁スイッチ装置３のスイッチ部１０の手動操作（オンオフ操作）によってスイッチ部１０に対応する照明負荷７の点灯状態を制御（変更）することができないという制御無効化状態が報知される。
【００７１】
そして、図９は、人感センサ装置４からの照明制御による主制御装置５の動作を示したものであり、図８と同一動作には同一符号を示しており、以下、同一動作の部分の説明は省略する。
【００７２】
禁止期間の開始時刻（例えば、０９：３０）前に、人感センサ装置４による人体検出の有無が発生すると（ステップＳ８）、人体の検出信号に応じた照明制御が実行される（ステップＳ９）。すなわち、人感センサ装置４が人体を検出して検出信号を出力すると、人感センサ装置４に対応し人感センサ装置４が配置されている照明エリア内の照明負荷７を点灯させる伝送信号を伝送線２に出力させる。当該伝送信号は、人感センサ装置４に対応する制御端末器６により受信される。そして、制御端末器６の制御により、照明負荷７が点灯される。また、人感センサ装置４が人体を検出しなくなり人体の検出信号が出力されなくなると、同様に、照明負荷７が消灯される。
【００７３】
そして、現在の時刻が不揮発性の記憶部３８に記憶されている禁止期間（例えば、０９：３０〜２０：３０）内である時に、人感センサ装置４が人体を検出したり、あるいは人体を検出しなくなって人体の検出信号が変化すると（ステップＳ１０）、主制御部３６は、伝送線２を介して、表示制御信号を当該人感センサ装置４に送信する（ステップＳ７）。
【００７４】
表示制御信号を伝送線２から受信した人感センサ装置４は、カバー２３の外表面２３ａの発光ダイオード２６を点灯または点滅させる。この発光ダイオード２６の表示により、当該人感センサ装置４の人体検出の有無によって人感センサ装置４に対応する照明負荷７の点灯状態を制御（変更）することができないという制御無効化状態が報知される。
【００７５】
上述したように、計時部３９が計時する時刻が不揮発性の記憶部３８に記憶されている禁止期間内であると、壁スイッチ装置３のスイッチ部１０および人感センサ装置４に対応する照明負荷７の点灯状態を変更できなくなる。すなわち、現在の点消灯状態を継続させたい照明負荷７が壁スイッチ装置３のスイッチ部１０の不所望な手動操作（オンオフ操作）および人感センサ装置４による不所望な人体検出の有無によって点消灯されることを防止することができる。
【００７６】
そして、壁スイッチ装置３の前面３ａに設けた発光ダイオード１１，１２の点灯または点滅が視認されることにより、壁スイッチ装置３のスイッチ部１０のオンオフ操作により照明負荷７の点灯状態を変更することができないことを認識することができる。また、カバー２３の外表面２３ａに設けた発光ダイオード２６を点灯または点滅が視認されることにより、人感センサ装置４の人体検出の有無によって照明負荷７の点灯状態が変更されないことを認識することができる。
【００７７】
そして、主制御装置５において、禁止期間に亘り、壁スイッチ装置３および人感センサ装置４からの制御信号に応じた伝送信号を伝送線２に出力させない制御無効化手段を設けて、壁スイッチ装置３および人感センサ装置４からの制御信号を無効化するので、当該無効化する機器およびこの機器の設置スペースが不要となって、照明制御システム１を安価に形成することができる。
【００７８】
そして、外部設定器９を壁スイッチ装置３の前面３ａの設定器接続部１３に接続することにより、外部設定器９から禁止期間の開始時刻および終了時刻等を任意に設定して不揮発性の記憶部３８に記憶させることができるので、禁止期間の時刻などを自由に変更、追加または削除することができる。
【図面の簡単な説明】
【００７９】
【図１】本発明の一実施の形態を示す照明制御システムのブロック図。
【図２】同じく、壁スイッチ装置の概略正面図。
【図３】同じく、壁スイッチ装置のブロック図。
【図４】同じく、人感センサ装置を示し、（ａ）は概略正面図、（ｂ）は概略下面図。
【図５】同じく、人感センサのブロック図。
【図６】同じく、主制御装置のブロック図。
【図７】同じく、禁止期間の時刻を示すデータ図。
【図８】同じく、壁スイッチ装置からの照明制御による主制御装置の動作のフロー図。
【図９】同じく、人感センサ装置からの照明制御による主制御装置の動作のフロー図。
【符号の説明】
【００８０】
１…照明制御システム
２…伝送線
３…監視端末器としての壁スイッチ装置
４…監視端末器としての人感センサ装置
５…主制御装置
６…制御端末器
７…照明負荷
１１，１２，２６…発光ダイオード
１３…設定器接続部
【図１】
2007157337.tif 000003
【図２】
2007157337.tif 000004
【図３】
2007157337.tif 000005
【図４】
2007157337.tif 000006
【図５】
2007157337.tif 000007
【図６】
2007157337.tif 000008
【図７】
2007157337.tif 000009
【図８】
2007157337.tif 000010
【図９】
2007157337.tif 000011